(57)【要約】【課題】複数の漁船からなる漁船団間の相互通信システムにおいて、自船と他船の位置情報を共有する。【解決手段】衛星からの自船位置情報を受信するＧＰＳアンテナと、衛星からの自船位置情報を処理するＧＰＳ受信装置と、ＧＰＳ受信装置にて処理された自船位置情報を表示する表示装置と、ＧＰＳ受信装置が受信した自船位置情報をプログラムにより信号処理する制御装置と、制御装置で信号処理された自船位置情報を送信する秘匿性を有する無線装置とをそれぞれの漁船に搭載し、前記制御装置に備えられた選択スイッチにより漁船毎の識別信号が選択され、選択スイッチにより選択された識別信号と呼出信号を前記無線装置によって送信し、他船に搭載された制御装置を制御し、他船の位置情報を秘匿性を維持した状態で前記無線装置によって送信させて入手し、ＧＰＳ受信装置によって自船と他船の位置情報を処理して表示装置に表示する。【選択図】        図１
2007330226.tif 000002
【特許請求の範囲】
【請求項１】
魚船位置情報を取得するＧＰＳ装置と、漁船間の通話を可能とする無線装置とを備えた複数の漁船からなる漁船団間の相互通信システムであって、衛星からの自船位置情報を受信するＧＰＳアンテナと、該アンテナと接続し、前記衛星からの自船位置情報を処理するＧＰＳ受信装置と、該ＧＰＳ受信装置にて処理された自船位置情報を表示する表示装置と、該ＧＰＳ受信装置が受信した自船位置情報をプログラムにより信号処理する制御装置と、該制御装置で信号処理された自船位置情報を送信する秘匿性を有する無線装置とをそれぞれの漁船に搭載し、前記制御装置に備えられた選択スイッチにより漁船毎の識別信号が選択され、該選択スイッチにより選択された識別信号と呼出信号を前記秘匿性を有する無線装置によって送信し、他船に搭載された制御装置を前記無線装置を介して操作し、他船の位置情報を秘匿性を維持した状態で前記無線装置によって送信させて入手し、前記ＧＰＳ受信装置によって自船と他船の位置情報を処理し、表示装置に表示することを特徴とする漁船団間の相互通信システム。
【請求項２】
請求項１記載の漁船団間の相互通信システムにおいて、前記漁船団は主船と複数の従船からなり、該主船及び複数の従船のいずれからも、前記無線装置によって秘匿性を持った状態で他船の位置情報を入手し、前記漁船団相互の位置を表示可能とすることを特徴とする漁船団間の相互通信システム。
【発明の詳細な説明】
【技術分野】
【０００１】
本発明は、漁船団間の相互通信システムに関し、とくに複数の漁船からなる漁船団の操業時に、自船と他船の位置情報を表示装置に表示可能な漁船団間の相互通信システムに関するものである。
【背景技術】
【０００２】
従来より、シラス船ひき網漁においては、複数の漁船がそれぞれ網船、運搬船或いは探索船として役割を分担し、船頭（主船）からの無線による指示によって操業を行っていた。また、各漁船には各々魚群探知機、ＧＰＳ装置、無線装置が取付けられ、自船の位置の確認や魚群の探査が可能であり、必要に応じて無線による情報の交換がなされていた。
【０００３】
また、旋網漁業においては、網船、灯船（探索船）など複数の漁船による集団操業が行なわれ、漁労長の無線によって各漁船の位置が指示されていた。
【０００４】
しかしながら、上記何れの漁法においてもそれぞれの漁船には自船の位置を表示して確認できるＧＰＳ装置や、自船と他船との通話が可能な無線装置は搭載されているものの、船頭（主船）或いは漁労長が他の漁船の位置を指示して操業を行なう際に、自船と他船の位置を同時に表示する手段がなく、船頭（主船）或いは漁労長の経験や勘にたよっていた。また、無線装置による漁船間の通話が、他の漁船団などに漏れる虞もあった。
【０００５】
そこで、親船と曳船の何れにもＧＰＳ装置と無線装置とを備え、制御装置を介して相互に位置情報を送信及び受信可能な漁船位置表示装置が提案されている（特許文献１参照。）。また、漁船団内の複数の船舶間で操業に関する情報を他船団に漏洩することなく共有し、ベテランが居なくとも共有情報に基づいて効率的な操業を可能とする船舶間通信システムも提案されている（特許文献２参照。）。
【特許文献１】特願２００４−２０２４８号公報
【特許文献２】特開２００６−６２１７号公報
【発明の開示】
【発明が解決しようとする課題】
【０００６】
しかしながら、上記特許文献１に提案されている漁船位置表示装置は、親船と曳船の何れの表示装置にも自船と他船の位置を表示可能とするものであるが、例えば曳船の担当者が不在の際には、親船に曳船の位置を送信することができない為、実作業時においては親船には他船の位置が表示されないという不都合が生じるという問題点があった。
【０００７】
また、上記特許文献２に提案されている船舶間通信システムは、魚探船から送信される魚群探知情報及び探知位置情報を網船にて受信し、受信した魚群探知情報及び探知位置情報に基づいて操業を行なうものであり、各船に情報処理装置を必要とし、またネットワークを構築すると共にデータべースの構築が不可欠となり、運用するためには長時間と多大の経費が発生するという問題点があった。
【０００８】
本発明は、上記の問題点に鑑みなされたもので、ＧＰＳ装置などの既存の設備を使用し、漁船団の何れの船においても自船と他船の位置情報を表示可能とし、他船の担当者が不在であっても他船の位置情報の入手を可能とし、しかもこの情報が他の漁船団に漏洩することのない漁船団間の相互通信システムを提供することを目的とする。また経費負担が少なく、短時間で導入ができるシステムを提供することを目的とする。
【課題を解決するための手段】
【０００９】
このため本発明の漁船団間の相互通信システムは、魚船位置情報を取得するＧＰＳ装置と、漁船間の通話を可能とする無線装置を備えた複数の漁船からなる漁船団間の相互通信システムであって、衛星からの自船位置情報を受信するＧＰＳアンテナと、該アンテナと接続し、前記衛星からの自船位置情報を処理するＧＰＳ受信装置と、該ＧＰＳ受信装置にて処理された自船位置情報を表示する表示装置と、該ＧＰＳ受信装置が受信した自船位置情報をプログラムにより信号処理する制御装置と、該制御装置で信号処理された自船位置情報を送信する秘匿性を有する無線装置とをそれぞれの漁船に搭載し、前記制御装置に備えられた選択スイッチにより漁船毎の識別信号が選択され、該選択スイッチにより選択された識別信号と呼出信号を前記秘匿性を有する無線装置によって送信し、他船に搭載された制御装置を前記無線装置を介して操作し、他船の位置情報を秘匿性を維持した状態で前記無線装置によって送信させて入手し、前記ＧＰＳ受信装置によって自船と他船の位置情報を処理し、表示装置に表示することを第一の特徴とする。
【００１０】
また、前記漁船団は主船と複数の従船からなり、該主船及び複数の従船のいずれからも、前記無線装置によって秘匿性を持った状態で他船の位置情報を入手し、前記漁船団相互の位置を表示可能とすることを第二の特徴とする。
【発明の効果】
【００１１】
本発明の漁船団間の相互通信システムによれば、制御装置に備えられた選択スイッチを選択し、秘匿性を有する無線装置にて送信することによって、他船の位置情報を入手して、自船の位置情報と同時に表示させることができるため、操業時に他船の担当者が不在であっても他船の位置情報を入手して主船の位置と共に表示装置に表示ができるという優れた効果を有する。
【００１２】
また、漁船間の通話と、位置情報の通信は秘匿性を有する無線装置を使用しており、無線装置による漁船間の通話や位置情報の通信が、他の漁船団などに漏れる虞が無いという効果を有する。
【００１３】
しかも、ＧＰＳ装置などの既存の設備が使用可能であり、専用の制御装置を搭載することによって容易に漁船団間の相互通信システムを構築できるという優れた効果を有する。
【００１４】
さらに、主船及び従船のいずれの表示装置も前記漁船団相互の位置を表示可能であるため、操業の際に主船と従船とは同じ情報を共有できるという効果を有する。
【発明を実施するための最良の形態】
【００１５】
以下、本発明の漁船団間の相互通信システムを実施例に基づいて説明するが、本発明が本実施例に限定されないことは言うまでもない。図１は本発明の漁船団間の相互通信システムを説明するブロック図、図２は図１の制御装置を説明するブロック図、図３は制御装置の動作を説明するブロック図、図４はシラス船ひき網漁を説明する説明図である。尚、本実施例においては秘匿性を有する無線装置としてＭＣＡ送受信機を例として説明するが、他の無線装置であっても良いことは無論である。
【実施例】
【００１６】
図１に示すように、本発明に係る漁船団間の相互通信システムは、主船（１号船）及び従船（２号船）に搭載されたＧＰＳアンテナ１、２１と、ＧＰＳアンテナと接続するＧＰＳ受信装置２、２２と、各自船の位置を表示する表示装置３、２３と、各船間の通信を可能とするＭＣＡ送受信機４、２４及びアンテナ５、２５と、各船の識別番号（ＩＤ番号）を記憶する記憶部を有し、ＧＰＳ受信装置２、２２にて受信した船の位置情報をＭＣＡ送受信機４、２４にて送受信可能に信号処理するＣＰＵと、他船を選択すると共に、他船の位置情報を取得する選択スイッチとからなる制御装置６、２６から構成され、主船と従船間の通話を秘匿した状態にて可能とすると共に、例えば主船から選択スイッチの操作によって従船の位置情報を秘匿したまま取得して主船の表示装置３に主船の位置と従船の位置を同時に表示することができる。ここで、ＭＣＡ送受信機はマルチチャンネルアクセス方式による業務用無線であり、複数の移動局と基地局とから構成されて運用が可能であり、各移動局には各々ＩＤ番号を搭載しているため移動局間の通話は他の無線装置から傍受不能となる。
【００１７】
図２は制御装置の構造を示すブロック図を示しており、図中のＣＰＵ（中央制御装置）７はＲＳ２３２Ｃ８を介してＭＣＡ送受信機（図示せず）と接続し、またＮＭＥＡインターフェイス９によってＧＰＳ受信機（図示せず）と接続し、各船のＩＤ番号を記録した記憶部（ＥＥＰＲＯＭ）１０と接続している。そして、操作部１１は選択スイッチと表示器とが備えられ、後述する各船間の位置情報の送受信及び位置情報値の表示を可能とする。
【００１８】
次に図３、図４に従って制御装置の動作について説明する。図４に示すシラス船ひき網漁業における１号船と２号線とが操業を行なう際に、１号船が２号船の位置情報を入手する動作について説明すると、制御装置の選択スイッチによって２号船を選択すると、ＣＰＵ７の指示によって記憶部１０から２号船のＩＤ番号を入手すると共に、１号船のＩＤ番号と、２号船の制御装置に対する２号船の位置情報の送信要求信号をＭＣＡ送受信機から送信可能に信号処理する。そして信号処理された各ＩＤ番号と送信要求信号は、ＭＣＡ送受信機から２号船のＭＣＡ送受信機を介して２号船の制御装置のＣＰＵに指示を行い、ＩＤ番号を記憶部内のデータと比較して確認を行い、１号船から自船（２号船）への送信要求信号であることを確認すると、自船（２号船）のＧＰＳ受信装置にて受信した２号船の位置情報を入手すると共に、ＭＣＡ送受信機へ２号船の位置情報信号を送信可能に信号処理して送信させる。この２号船から送信された２号船の位置情報信号は１号船のＭＣＡ送受信機を介してＣＰＵ７に入力し、ＣＰＵ７は記憶部１０のＩＤ番号と比較して確認処理を行い、ＧＰＳ受信機へ２号船の位置情報を送ると同時に、操作部１１の表示器に２号船の位置情報値（例えば、北緯、東径データ、測定時刻等）を表示させる。
【００１９】
上記の制御装置の動作によってＧＰＳ受信装置に送られた２号船の位置情報信号は、ＧＰＳ受信装置内の画像処理装置によって処理され、１号船の位置情報と同時に表示装置に表示することが可能であり、１号船の管理者はＭＣＡ送受信機を使用する通話によってこの表示画像を見ながら２号船に操業上の指示をすることができる。しかも、上記の位置情報の通信や通話は何れも秘匿性を持っており、他の漁船団による傍受を防止する。尚、本実施例においては１号船から２号船の位置情報を入手する動作を例として主に説明しているが、何れの船からでも同じ動作は可能であり、操業の際に各船は同じ情報を共有できる。しかも他船に自船の位置情報を送信可能であることは無論である。
【００２０】
以上本発明による漁船団間の相互通信システムによれば、ＧＰＳ装置などの既存の設備を使用して構築できるため、経費負担が少なく、短時間で導入ができ、また専用の制御装置によって漁船団の何れの船においても自船と他船の位置情報を表示可能とし、他船の担当者が不在であっても他船の位置情報の入手を可能とし、しかも秘匿性を有する無線装置による通信であるため船同士の通話や船の位置情報が他の漁船団に漏洩することがない。
【図面の簡単な説明】
【００２１】
【図１】本発明の漁船団間の相互通信システムを説明するブロック図である。
【図２】図１の制御装置を説明するブロック図である。
【図３】制御装置の動作を説明するブロック図である。
【図４】シラス船ひき網漁を説明する説明図である。
【符号の説明】
【００２２】
１、２１          ＧＰＳアンテナ
２、２２          ＧＰＳ受信装置
３、２３          表示装置
４、２４          ＭＣＡ送受信機
５、２５          アンテナ
６、２６          制御装置
７                ＣＰＵ
８                ＲＳ２３２Ｃ
９                ＮＭＥＡインターフェイス
１０                記憶部
１１                操作部
【図１】
2007330226.tif 000003
【図２】
2007330226.tif 000004
【図３】
2007330226.tif 000005
【図４】
2007330226.tif 000006